(57)【要約】【課題】外部から電源を安定的に給電部に引き込むことができる電子機器を提供する。【解決手段】電子機器の筐体に固定された給電端子２は導電性部材からなり、筐体外部に露出した端子部２１と筐体内部に突出し中心に凹部２２ａを形成した端子部２２とを有し、これらが抜け止め部２３で固着されている。回路等がプリントされたプリント基板３には導電性部材からなるコイルバネ３１の巻き部３１ａが巻かれている。コイルバネの先端部３１ｂは給電端子２の凹部２２ａ内に挿入されている。コイルバネ３１の先端部３１ｂはバネの反発力により給電端子２の凹部２２ａの内周面と接触し、コイルバネ３１の巻き部３１ａはバネの反発力により給電端子２の端子部２２の先端と接触する。【選択図】    図５
2004192915.tif 000002
【特許請求の範囲】
【請求項１】
筐体外部に露出した露出部と筐体内部に突出し中心に凹部を形成した突出部とを有し、導電性部材からなる第１の給電端子と、一端を前記筐体内の電源部に接続し他端を前記第１の給電端子の凹部内に挿入し、全体を導電性の部材からなるコイルバネとして形成した第２の給電端子とを有し、
前記第１の給電端子から前記第２の給電端子を介して前記電源部に電源を引き込むことを特徴とする電子機器。
【発明の詳細な説明】
【０００１】
【発明の属する技術分野】
本発明は、筐体の外部から電源を引き込む電子機器に関する。
【０００２】
【従来の技術】
従来、電子機器、例えば携帯機器に外部から供給される電源の仕組みは、図７に示すように、充電器である置き台４側に受けの端子４ａがあり、その端子４ａに携帯機器５の給電端子５ａを接触させることによって置き台４側から携帯機器に電源が供給されるようになっている。なお、この携帯機器５に設けられる給電端子５ａは通常外部から塵、水の侵入を防止するため筐体内に固定されている。
【０００３】
このようにして外部から供給される電源は、携帯機器内の回路等がプリントされた、例えば基板に引き込まれるが、筐体とその基板は衝撃や振動により必ず一致した動きをするとは限らず、筐体に固定された給電端子と内部の基板との動きにずれが生じる場合がある。したがって基板に直接給電端子を半田付けして取り付けると、基板や半田付け部に衝撃や振動などによる負荷がかかりずれを吸収できずに破損する場合がある。
【０００４】
そこで、図８に示すような給電端子６と基板７との間にずれの発生を吸収するために板バネ８を設ける構造が知られている。すなわち、略コ型に曲げた導電性の部材からなる板バネ８を給電端子として基板７に半田付けし、基板７を所定位置に取り付けたときに筐体に固定される給電端子６が板バネ８と接触する構造とすることである。この板バネ８の反発力を利用することにより給電端子６と基板７とのずれを吸収して外部の電源から基板７に電源の取り込みを行うことができる。
【０００５】
【発明が解決しようとする課題】
しかしながら、携帯機器に衝撃や振動が与えられて給電端子６と基板７とにずれが生じると、図８中左右方向への給電端子６の移動により板バネ８の給電端子６へ接触するための反発力が弱まり接触不良が発生しやすい。
【０００６】
また、一般的に板バネを利用した場合は、曲げ加工などで生じた傷や鋼板の目によって耐久性が著しく落ちる場合があり、上述した給電端子との接触不良を起こす場合だけでなく、最悪の場合は、板バネが曲げ部から折れ電子部品をショートさせる場合も考えられる。
【０００７】
本発明は上記事情に鑑みてなされたものであって、その目的は、筐体に固定された導電性部材からなる第１の給電端子及び電源部と接続され、第１の給電端子と電源部とのずれを安定的に吸収する導電性部材からなる第２の給電端子を有することにより、電源を安定的に給電部に引き込むことができる電子機器を提供することにある。
【０００８】
【課題を解決するための手段】
本発明は、筐体外部に露出した露出部と筐体内部に突出し中心に凹部を形成した突出部とを有し導電性部材からなる第１の給電端子と、一端を筐体内の電源部に接続し他端を第１の給電端子の凹部内に挿入し全体を導電性の部材からなるコイルバネとして形成した第２の給電端子とを有し、第１の給電端子から第２の給電端子を介して電源部に電源を引き込むものである。
【０００９】
【発明の実施の形態】
以下、本発明の一実施の形態について図面を参照して説明する。なお、この実施の形態は本発明を携帯電話機に適用した場合である。
図１は、携帯電話機１の第１の給電端子としての給電端子２の位置を概略的に示す図である。携帯電話機１の底面部に２つの給電端子２が設けられ、各給電端子２は本体の筐体に固定されている。
【００１０】
図２は給電端子２を示す図である。この給電端子２は携帯電話機１の筐体外部に露出し、例えば、従来例で示した置き台４から電源の供給を受けるための端子部２１と、携帯電話機１の筐体内部に突出した端子部２２とが抜け止め部２３により固着されている。端子部２２は筐体内部に突出し中心に凹部２２ａを形成した突出部であり、その断面は略コ型となっている。この凹部２２ａは、突出側の先端近傍において除々に開口の直径が大きくなるようになっている。この端子部２１、２２は共に導電性の部材で構成されている。
【００１１】
図３は、携帯電話機１の各種機能を実現するための回路等がプリントされた電源部としてのプリント基板３と第２の給電端子としてコイルバネ３１を示している。
【００１２】
コイルバネ３１は、コイル形状をした巻き部３１ａと端子部２２の凹部２２ａと接触するために所定の長さをした棒形状の先端部３１ｂとで構成されている。同図に示すように、このコイルバネ３１は、プリント基板３の長手方向の一方の端部に巻き部３１ａが巻かれている。そのコイルバネ３１の巻き部３１ａの一端、すなわち、プリント基板３のコイルバネ３１が巻かれている端と反対側の端はプリント基板３に例えば、半田付けにより固着されている。このコイルバネ３１は全体が導電性の部材で構成されている。
【００１３】
図４は給電端子２からプリント基板３に電源を取り込む構造を説明するための図である。
プリント基板３は携帯電話機１の筐体内にその長手方向が給電端子２の長手方向と略平行に、そのコイルバネ３１の先端部３１ｂが給電端子２の端子部２２の凹部２２ａに挿入されるように取り付けられる。その先端部３１ｂの端子部２２の凹部２２ａの開口した経に対する位置は、コイルバネ３１に力がかからない通常状態で、凹部２２ａの開口の直径が除々に大きくなっている部分に位置するようになっている。また、コイルバネ３１がプリント基板３に固着される位置は、給電端子２の端子部２２の先端によりコイルバネ３１がプリント基板３の長手方向に縮められる位置とする。この実施例においては、コイルバネ３１の先端部３１ｂの長さは端子部２２の凹部２２ａの深さよりも短い長さとする。
【００１４】
このコイルバネ３１が固着されたプリント基板３を図中矢印で示す方向に取り付けるために押し込むと、コイルバネ３１の先端部３１ｂが端子部２２の凹部２２ａの開口の直径が除々に大きくなっている位置に当接するため、押し込まれるに連れて開口の中心方向にコイルバネ３１の先端部３１ｂが除々に引っ張られ、さらに押し込まれて開口の直径が一定となると常に一定の強さで引っ張られる。すなわち、コイルバネ３１の先端部３１ｂは凹部２２ａに挿入されるとコイルバネ３１の反発力により、その内周面に常に接触するようになる。
【００１５】
また、プリント基板３を携帯電話機１の筐体に取り付けるとコイルバネ３１はプリント基板３の長手方向に縮められるため、端子部２２の先端にコイルバネ３１の巻き部３１ａはバネの反発力により常に接触するようになる。
【００１６】
図５は、給電端子２とプリント基板３のコイルバネ３１とが接触した状態を示す図である。コイルバネ３１の先端部３１ｂが給電端子２の端子部２２の凹部２２ａの内周面と接すると共にコイルバネ３１は端子部２２の先端と接している。
【００１７】
このように給電端子２とプリント基板３のコイルバネ３１とが構成されていることにより、携帯電話機１の筐体に固着されている給電端子２とプリント基板３とが携帯電話機１に与えられる衝撃や振動により異なる動作をしても、給電端子２の径方向に対してはコイルバネ３１の先端部３１ｂが給電端子２の端子部２２の凹部２２ａの内周面を沿うように移動し、プリント基板３の長手方向に対してはコイルバネ３１の巻き部３１ａの先端が給電端子２の端子部２２の先端と接するように移動する。
【００１８】
したがって、携帯電話機１は衝撃や振動が与えられてどの方向に動いても、給電端子２とプリント基板３のずれを常にコイルバネ３１は吸収するので、給電端子２とプリント基板３とは安定的に接することができ電源を取り込むことができる。
【００１９】
また、略コ型に折り曲げられた板バネと比較してコイルバネ３１は耐久性のバラツキが少なく、引っ掛け傷や変形に対して強いため、経年変化を含めてコイルバネ３１による給電端子２とプリント基板３との安定的な接触が得られると共に傷などの影響を受け難いため、コイルバネ３１を用いた給電端子の製造工程の管理を簡素化することができる。さらに、板バネなどにおいて生じるバネ折れによる電子部品のショートの発生もコイルバネ３１は傷などの影響を受け難いため軽減することができる。
【００２０】
なお、コイルバネ３１の先端部３１ｂの長さは、給電端子２の端子部２２の凹部２２ａの深さよりも短くすることとしたが、凹部２２ａより長くしても良い。この場合は、コイルバネ３１の巻き部３１ａと給電端子２の端子部２２の先端との接触はなくなるが、コイルバネ３１の先端部３１ｂの先端が端子部２２の凹部２２ａの底面と常に接触するため、プリント基板３の長手方向に対しても常にコイルバネ３１は給電端子２とずれを吸収して接するように移動することができる。
【００２１】
図６は給電端子２´からプリント基板３に電源を取り込む構造の他の実施の形態を示す図である。この他の実施の形態では、給電端子２´の端子部２２´は直径の異なる円筒形状の導電性部材が一体的に形成されたものであり、その断面は略Ｔ字形状となっている。この端子部２２´の直径の大きい円筒部分が抜け止め部２３により端子部２１と固着されており、直径の小さい円筒部分が筐体内部側に突出している。また、上記の実施の形態で説明した場合と同様にプリント基板３に導電性部材からなるコイルバネ３２の一端が取り付けられている。コイルバネ３２の他方の端はプリント基板３の端部及び端子部２２´の直径の小さい円筒部分の外周を巻くようにして端子部２２´の直径の大きい円筒部分と当接するようになっている。すなわち、プリント基板３が筐体内部に取り付けられたときに、コイルバネ３２は、一端がプリント基板３に固着され、他端が端子部２２´と当接して縮められるようになっている。したがって、プリント基板３と端子部２２´とは、コイルバネ３２の反発力により携帯電話機１に衝撃や振動が与えられてどの方向に動いても常に接することができる。
したがって、携帯電話機１は衝撃や振動が与えられてどの方向に動いても、給電端子２とプリント基板３のずれを常にコイルバネ３２により吸収するので、給電端子２とプリント基板３とは安定的に接することができ電源を取り込むことができる。
【００２２】
なお、前述した両実施の形態は本発明を携帯電話機に適用した場合について述べたが、必ずしもこれに限定するものではなく、外部から電源の供給を受ける電子機器に適用できるものである。
また、本発明は電源供給のみならず、機器間の信号の伝達等にも適用できるものである。
【００２３】
【発明の効果】
以上説明したように本発明によれば、外部から電源を安定的に給電部に引き込むことができる電子機器を提供できる。
【図面の簡単な説明】
【図１】本発明の実施の形態における携帯電話機の外観を示す図。
【図２】同実施の形態における外部から電源の供給を受けるための給電端子を示す図。
【図３】同実施の形態におけるプリント基板に巻かれたコイルバネを示す図。
【図４】同実施の形態における外部から電源を取り込むための構造を説明する図。
【図５】同実施の形態における各給電端子が接触した状態を示す図。
【図６】他の実施の形態の外部から電源を取り込むための構造を示す図。
【図７】従来例の携帯機器及び充電器を示す図。
【図８】従来例の各給電端子が接触した状態を示す図。
【符号の説明】
１…携帯電話機
２…給電端子（第１の給電端子）
２２ａ…凹部
３…プリント基板
３１，３２…コイルバネ（第２の給電端子）
３１ａ…巻き部
３２ｂ…先端部
【図１】
2004192915.tif 000003
【図２】
2004192915.tif 000004
【図３】
2004192915.tif 000005
【図４】
2004192915.tif 000006
【図５】
2004192915.tif 000007
【図６】
2004192915.tif 000008
【図７】
2004192915.tif 000009
【図８】
2004192915.tif 000010